(57)【要約】【課題】製造コストを低減でき、小さなスペースでも、射撃訓練を実行することができるレーザー光線入射位置表示装置を提供する。【解決手段】レーザー光線が入射するとともに、電圧が印加されることによってレーザー光線の入射位置を表示する液晶表示手段３０２と、液晶表示手段３０２に設けられ、液晶表示手段３０２に入射したレーザー光線を検知する光センサ３０２Ｄと、光センサ３０２Ｄによるレーザー光線の検知結果に基づいて液晶表示手段３０２におけるレーザー光線の入射位置を特定する位置特定手段３０４Ａと、液晶表示手段３０２に対して電圧を印加することにより位置特定手段３０４Ａで特定された入射位置を液晶表示手段３０２に表示させる表示制御手段３０４Ｃと、を有することを特徴とする。【選択図】      図１１
2010156516.tif 000002
【特許請求の範囲】
【請求項１】
模擬銃から照射されたレーザー光線が入射した入射位置を表示するレーザー光線入射位置表示装置であって、
前記レーザー光線が入射するとともに、電圧が印加されることによって前記レーザー光線の前記入射位置を表示する液晶表示手段と、
前記液晶表示手段に設けられ、前記液晶表示手段に入射した前記レーザー光線を検知する光センサと、
前記光センサによる前記レーザー光線の検知結果に基づいて前記液晶表示手段における前記レーザー光線の前記入射位置を特定する位置特定手段と、
前記液晶表示手段に対して電圧を印加することにより前記位置特定手段で特定された前記入射位置を前記液晶表示手段に表示させる表示制御手段と、
を有することを特徴とするレーザー光線入射位置表示装置。
【発明の詳細な説明】
【技術分野】
【０００１】
本発明は、模擬銃から照射されたレーザー光線の入射位置を表示するレーザー光線入射位置表示装置に関する。
【背景技術】
【０００２】
従来から様々な射撃シミュレーション装置（射撃訓練装置）が提案されている。特に、レーザー光線を利用した模擬銃は、プラスチック弾などの物体を利用することがないため、安全に射撃シミュレーションを実行することができる。
【０００３】
ここで、射撃シミュレーション装置の一例として、一の訓練者（遊技者）が射撃に関するシミュレーション装置を装着し、この受光器に、他の訓練者（遊技者）が保持する模擬銃からのレーザー光線が入射することにより、一の訓練者（遊技者）に刺激電流が流れ、筋肉を弛緩させるものがある（従来技術１、下記特許文献１参照）。
【０００４】
しかしながら、上記従来技術１では、訓練者（遊技者）が複数人存在しないと、訓練することができなくなるため、単独で射撃訓練をすることはできない。
【０００５】
そこで、スクリーンと、標的を含む画像を出力する画像出力手段（コンピュータなど）と、画像出力手段から出力された画像をスクリーンに対して投影する画像投影手段（プロジェクタ）と、可視光線除去フィルタを介して画像投影面を撮影し画像投影面に発生するビームポイントの画像データ取得する撮像手段（ＣＣＤカメラ、ビデオカメラ）と、を備えた射撃模擬装置が提案されている（従来技術２、下記特許文献２参照）。
【特許文献１】特開２００８−２０１１４号公報
【特許文献２】特開２００７−７１４０３号公報
【発明の開示】
【発明が解決しようとする課題】
【０００６】
ところが、従来技術２の射撃模擬装置では、標的を含む画像を出力する画像出力手段（コンピュータなど）と、画像出力手段から出力された画像をスクリーンに対して投影する画像投影手段（プロジェクタ）と、可視光線除去フィルタを介して画像投影面を撮影し画像投影面に発生するビームポイントの画像データ取得する撮像手段（ＣＣＤカメラ、ビデオカメラ）と、が必要不可欠な構成部品であるため、部品点数が多くなり、また製造コストが大幅に増大する。また、これらの構成部品を配置するスペースがなければ、射撃シミュレーションを実行することができず、比較的狭い室内では、射撃訓練の実行が困難になる。
【０００７】
そこで、本発明は、製造コストを低減でき、小さなスペースでも、射撃訓練を実行することができるレーザー光線入射位置表示装置を提供することを目的とする。
【課題を解決するための手段】
【０００８】
本願第１発明は、模擬銃から照射されたレーザー光線が入射した入射位置を表示するレーザー光線入射位置表示装置であって、前記レーザー光線が入射するとともに、電圧が印加されることによって前記レーザー光線の前記入射位置を表示する液晶表示手段と、前記液晶表示手段に設けられ、前記液晶表示手段に入射した前記レーザー光線を検知する光センサと、前記光センサによる前記レーザー光線の検知結果に基づいて前記液晶表示手段における前記レーザー光線の前記入射位置を特定する位置特定手段と、前記液晶表示手段に対して電圧を印加することにより前記位置特定手段で特定された前記入射位置を前記液晶表示手段に表示させる表示制御手段と、を有することを特徴とする。
【０００９】
この構成によれば、模擬銃から照射されたレーザー光線は、液晶表示手段に入射して、光センサにより検知される。光センサによるレーザー光線の検知結果に基づいて、位置特定手段により液晶表示手段におけるレーザー光線の入射位置が特定される。そして、電圧印加手段により液晶表示手段に対して電圧が印加されることにより、位置特定手段で特定された入射位置が液晶表示手段上に表示される。この結果、液晶表示手段上に模擬銃からのレーザー光線痕を表示させることができる。このように、レーザー光線入射位置表示装置は、プロジェクタやビデオカメラ（ＣＣＤカメラ）などが不要になり、簡易な構成でかつ低コストで製造することができる。
【発明の効果】
【００１０】
本発明によれば、簡易な構成でかつ、製造コストを低減でき、比較的小さなスペースでも、射撃訓練を実行することができる。
【発明を実施するための最良の形態】
【００１１】
次に、本発明の第１実施形態に係るレーザー光線入射位置表示装置について、図面を参照して説明する。なお、本明細書の「レーザー光線」とは、模擬銃から照射されるレーザービームを意味し、「光」とは、レーザー光線と区別されるものであり、例えば、太陽光（自然光）や蛍光灯などの光を意味する。
【００１２】
先ず、図１に示すように、模擬銃１２からのレーザー光線の照射原理について説明する。模擬銃１２の内部に、光励起装置（図示省略）と、一対のミラー（図示省略）と、を収容し、レーザー媒質に外部からエネルギーを注入して光を励起させ、この光をミラーで往復させる。この結果、同じ位相の光が付加され、光がミラーを往復しているうちに増幅されていき、エネルギーの大きな指向性の絞られたレーザー光が生成される。この位相が揃い増幅されたレーザー光がレーザー光線としてミラーを透過して模擬銃１２から外部に放出され、後述のレーザー光線入射位置表示装置１０に向かって照射される。
【００１３】
図１及び図２に示すように、レーザー光線入射位置表示装置１０は、枠部材１４を備えている。この枠部材１４の一方側側面には、円孔１６が形成されている。この円孔１６には、レーザー光線の入射位置を表示する表示部材（表示手段）１８が設けられている。また、枠部材１４には、複数（本実施形態では２個）のスピーカ２０が設けられている。なお、円孔１６に限られず、四角形、三角形などの他の形状でもよく、また、人影、動物の影などの外形でもよい。
【００１４】
また、枠部材１４の内部であって表示部材１８の背面側には、レーザー光線を検知するための複数のセンサ（例えば、光センサ）３２（レーザー光検知手段、図３及び図４参照）が設けられている。センサ３２は、表示部材１８の全射撃領域にわたって均等となるように設けられている。具体的には、表示部材１８には、同一平面上に複数の液晶層３６（図４参照）が配置されており、各液晶層３６の背面側に１つのセンサ３２が対応（１対１の関係）するように配置されている。ここで、センサ３２は、レーザー光線を検知する性質のものであり、光により導電率が変化するもの、光により起電力が発生するもの、光を熱として検知するもの、光電子変換するもの、などがある。このため、表示部材１８の全射撃領域のいずれかにレーザー光線が入射した場合には、複数のセンサ３２のうちレーザー光線の入射位置となる液晶層３６に対応するセンサ３２によりレーザー光線が検知される。
【００１５】
具体的には、光センサとして、光導電型（光導電セル（素子：ＣｄＳ、ＰｂＳ、Ｓｅ））、光起電型（光起電力センサ（素子：フォトダイオード、Ｐｉｎフォトダイオード、太陽電池）、内部増幅センサ（素子：フォトトランジスタ、アバランシュフォトダイオード）、領域センサ（素子：フォトダイオードアレイ、ＣＣＤイメージセンサ、ＭＯＳイメージセンサ）、熱電効果型（素子：焦電センサ））などが挙げられる。
【００１６】
例えば、光導電型の光導電素子は、光のエネルギーを受けて内部に自由に動き回る電子が発生する。光が当っていないときは抵抗が増大し、光が当っているときは抵抗が小さくなる基本回路を有している。この変化により、レーザー光線を検知して、検知信号を出力することができる。
【００１７】
また、光起電型の光起電力素子は、光が照射したときに内部に電位差が発生する（光起電力効果）。フォトダイオードでは、ｐｎ接合部に光が照射されると電子と正孔の対が生じ、それぞれがｎ領域とｐ領域に集められ電極を通して光電流が取り出される。また、フォトトランジスタは、フォトダイオード構造をもつトランジスタで、増幅機能を有する素子である。また、アバランシュフォトダイオードは、光で生じた電子をｐｎ接合の電界層中で加速して大きなエネルギーをもたせ次々と電子を放出させて倍増していくものである。これにより、微弱な光を検出することが可能となる。熱電効果型の焦電素子は、光のエネルギーをいったん熱に変えて検知するものである。このセンサ素子の内部には、プラスとマイナスの電荷が分極現象によってある方向に並んでおり誘電体としての特性を示すが、熱によってこの分極現象が変化し素子の両端に電荷が発生する（焦電効果）。焦電効果を示す素子として、単結晶のＴＧＳ、ＬｉＴａＯ３、高分子膜のＰＶＤＦなどが挙げられる。
【００１８】
以上のように、光センサとして、従来から種々の型のものが存在し、いずれのセンサも光を検知し、これを検知信号（電気信号）として後述の制御装置２２（図３参照）に対して出力する。
【００１９】
また、図３に示すように、枠部材１４の内部には、制御装置２２が設けられている。制御装置２２は、複数のセンサ３２からの検知信号に基づいて表示部材１８上のレーザー光線の入射位置を特定するＣＰＵ（あるいはＣＰＵ回路）２４（位置特定手段）と、レーザー光線の入射位置となる表示部材１８の液晶層３６（詳細には、図４の電極５０、５２、（６２、６４）、（７４、７６））に対して所定の電圧を印加する電源回路２６（電圧印加手段）と、スピーカ２０から所定の効果音を出力させる音源回路２８と、センサ３２の検知信号と表示部材１８の入射部位（液晶層３６）との対応関係（テーブル）、及び効果音のデータを記憶するＲＯＭ３０と、で構成されている。なお、センサ３２毎に異なる種類の検知信号を出力する構成では、ＲＯＭ３０には、センサ３２毎に異なる種類の検知信号と表示部材１８の入射部位（液晶層３６）との対応関係（テーブル）を記憶させておいてもよい。
【００２０】
ＣＰＵ２４は、複数のセンサ３２からの検知信号に基づいて、表示部材１８上のレーザー光線の入射位置を特定する。例えば、表示部材１８の射撃領域の左側に配置されたセンサ３２によりレーザー光線が受光された場合には、レーザー光線を受光したセンサ３２から検知信号が制御装置２２に対して出力される。そして、ＣＰＵ２４は、この検知信号を出力したセンサ３２を認識して、ＲＯＭ３０に記憶したテーブルを参照し、表示部材１８上のレーザー光線の入射位置（例えば、左側の液晶層３６）を特定する。あるいは、ＣＰＵ２４は、検知信号の種類により、センサ３２を特定し、これにより、表示部材１８上のレーザー光線の入射位置を特定してもよい。
【００２１】
電源回路２６は、ＣＰＵ２４により特定された表示部材１８上のレーザー光線の入射位置に対して所定の電圧を印加させるものである。具体的には、レーザー光線の入射位置となる液晶層３６の透明電極５０、５２、（６２、６４）、（７４、７６）間に対して所定の電圧を印加する。この結果、レーザー光線が入射した表示部材１８の入射部位の色が変化する。なお、電源回路２６は、ＣＰＵ２４により制御される。
【００２２】
音源回路２８は、複数のセンサ３２のうちいずれかのセンサでレーザー光線が検知されたと同時にＲＯＭ３０に記憶された効果音の音データに基づいてスピーカ２０を介して所定の効果音を出力するものである。このため、遊技者は、レーザー光線が表示部材１８の射撃領域に到達した瞬間に、効果音を聞くことになる。なお、音源回路２８は、ＣＰＵ２４により制御される。また、音源回路２８は、スピーカ２０からの効果音の出力を制御する。
【００２３】
次に、表示部材１８の構成について詳細に説明する。
図４に示すように、表示部材１８は、コレステリック液晶材料を備えた電子ペーパー３４で構成されている。電子ペーパー３４は、複数の液晶層３６が同一平面上に所謂マトリックス状に並べられて構成されている。すなわち、一の液晶層３６がセルとなっている。なお、同一平面上で隣接する液晶層３６同士は、接着剤や両面テープなどの接着材料により固定されている。また、電子ペーパー３４の前後両面側（複数の液晶層３６の前後両面側）に、透明のシート部材（例えば、樹脂シート）を配置させ、全ての液晶層３６を保持するようにしてもよい。
【００２４】
各液晶層３６は、青・緑・赤の３色のコレステリック液晶材料を厚み方向に重ねられて設けられている。具体的には、各液晶層３６は、レーザー光線が透過する青色のコレステリック液晶材料層３８と、レーザー光線が透過する緑色のコレステリック液晶材料層４０と、レーザー光線が透過する赤色のコレステリック液晶材料層４２と、が厚み方向に重ねられて構成されている。
【００２５】
ここで、コレステリック液晶は、特定の波長（光）のみを反射する性質がある。太陽光や蛍光灯などの光が液晶に入射すると、青色、緑色、赤色の決められた波長を反射して、フルカラーで表示することができる。なお、青色、緑色、赤色の全ての色の光が反射した場合には、光の３原色となり、肉眼で白色に見える。
【００２６】
青色のコレステリック液晶材料層３８は、レーザー光線及び光が透過する１対の透明フィルム４４、４６と、各透明フィルム４４、４６の間に介在された青色のコレステリック液晶材料４８と、１対の透明フィルム４４、４６の表面と青色のコレステリック液晶材料４８との境界に設けられた透明電極５０、５２と、で構成されている。なお、各液晶層３６の青色のコレステリック液晶材料４８は、封止剤５４により封入されている。
【００２７】
緑色のコレステリック液晶材料層４０は、レーザー光線及び光が透過する１対の透明フィルム５６、５８と、各透明フィルム５６、５８の間に介在された緑色のコレステリック液晶材料６０と、１対の透明フィルム５６、５８の表面と緑色のコレステリック液晶材料６０との境界に設けられた透明電極６２、６４と、で構成されている。なお、各液晶層３６の緑色のコレステリック液晶材料６０は、封止剤６６により封入されている。
【００２８】
赤色のコレステリック液晶材料層４２は、レーザー光線及び光が透過する１対の透明フィルム６８、７０と、各透明フィルム６８、７０の間に介在された赤色のコレステリック液晶材料７２と、１対の透明フィルム６８、７０の表面と赤色のコレステリック液晶材料との境界に設けられた透明電極７４、７６と、で構成されている。なお、各液晶層３６の赤色のコレステリック液晶材料は、封止剤７８により封入されている。
【００２９】
以上のように、各液晶層３６は、最も表面側に位置する青色のコレステリック液晶材料層３８と、青色のコレステリック液晶材料層３８の背面（裏面）側に位置する緑色のコレステリック液晶材料層３８と、緑色のコレステリック液晶材料層４０の背面（裏面）側に位置する赤色のコレステリック液晶材料層４２と、がそれぞれ厚み方向に重なり合って構成されている。そして、表示部材１８は、上記構成の複数の液晶層３６が同一平面上に並べられて構成されている。
【００３０】
次に、表示部材１８における光の反射原理について説明する。
【００３１】
図５及び図６に示すように、各液晶材料層３８、４０、４２のコレステリック液晶材料の中には、複数の液晶分子Ｘがねじれたらせんのように並んでいる。通常は、複数の液晶分子Ｘが縦向きに並んでおり、太陽光や蛍光灯などの光を反射する状態になっている。
【００３２】
そして、図５及び図７に示すように、レーザー光線、太陽光や蛍光灯などの光を通過させたい部分の透明電極５０、５２、（６２、６４）、（７４、７６）間に低い電圧を印加して、らせん状の液晶分子Ｘを横向きにする。なお、この電圧の印加を停止しても（電源を切っても）、液晶分子Ｘは、横向きのまま安定している。これにより、太陽光や蛍光灯などの光は、各液晶材料層３８、４０、４２を通過する。
【００３３】
さらに、図５及び図８に示すように、レーザー光線、太陽光や蛍光灯などの光を反射させたい部分の透明電極５０、５２、（６２、６４）、（７４、７６）間に高い電圧を印加して、らせん状の液晶分子Ｘを伸ばし、すぐに電圧の印加を停止する。これにより、液晶分子Ｘは、反発して縦向きのらせん状になって安定する。これにより、太陽光や蛍光灯などの光は、この部位で反射する。
【００３４】
ここで、電圧の印加は、電源回路２６により制御される。電源回路２６から各透明電極５０、５２、（６２、６４）、（７４、７６）間に対して電圧印加信号が出力され、これに基づいて電圧が印加される。
【００３５】
このように、表示部材１８に電子ペーパー３４を利用することにより、偏光板、反射板、カラーフィルタ、バックライトが不要になる。このため、表示部材１８の部品点数を削減でき、製造コストを低減することができる。また、電子ペーパー３４を利用することにより、低電力で表示することができる。
【００３６】
次に、本発明の第１実施形態におけるレーザー光線入射位置表示装置１０におけるレーザー光線入射位置表示方法について説明する。本発明は、上記した表示部材である電子ペーパー３４の反射原理を利用して、レーザー光線の入射位置を表示するものである。
【００３７】
先ず、図４及び図５に示すように、表示部材１８の初期状態として、全て液晶層３６の全ての液晶材料層３８、４０、４２の透明電極５０、５２、（６２、６４）、（７４、７６）に比較的低い電圧が印加されている。これは、ＣＰＵ２４により制御された電源回路２６によって、全ての液晶材料層３８、４０、４２の各透明電極間５０、５２、（６２、６４）、（７４、７６）に対して所定の電圧を印加することにより実行できる。この表示部材１８の初期状態では、液晶分子Ｘが図７に示す横向き状態になって安定し、レーザー光線、太陽光や蛍光灯などの光が、全ての液晶材料層３８、４０、４２を通過する。このとき、遊技者は、黒色を視認する。
【００３８】
次に、遊技者による遊技が開始される。遊技者の模擬銃１２からレーザー光線が照射されて、表示部材１８の射撃領域の一部に入射すると、レーザー光線は、全ての液晶材料層３８、４０、４２を通過して、入射した一の液晶層３６の裏面側に位置するセンサ３２で受光される。そして、レーザー光線を受光したセンサ３２から制御装置２２に対して、レーザー光線の検知信号が出力される。ＣＰＵ２４は、この検知信号を受けて、レーザー光線を受光したセンサ３２を特定し、また、そのセンサ３２に対応する一の液晶層３６を特定する。後述するように、この特定された一の液晶層３６が、レーザー光線が入射した位置として変色する。
【００３９】
次に、ＣＰＵ２４は、特定された液晶層３６に配置されている透明電極５０、５２、（６２、６４）、（７４、７６）間に対して比較的高い電圧を印加するための制御信号を電源回路２６に出力する。このとき、電源回路２６は、ＣＰＵ２４からの制御信号を受けて、特定された一の液晶層３６の透明電極５０、５２、（６２、６４）、（７４、７６）間に対して比較的高い電極を印加する。
【００４０】
これにより、電圧が印加された透明電極５０、５２、（６２、６４）、（７４、７６）に対応する液晶材料中の液晶分子Ｘは、上述した通り、図８に示す縦向き状態になって安定し、太陽光や蛍光灯などの光を反射する性質になる。なお、このときの透明電極５０、５２、（６２、６４）、（７４、７６）間に対する電圧印加時間は僅かな時間であり、電圧を印加した後、すぐに電圧印加が停止される。
【００４１】
この結果、電圧が印加された透明電極５０、５２、（６２、６４）、（７４、７６）を有する液晶層３６では、太陽光や蛍光灯などの光を反射する性質に変化して、遊技者は、色の変化を認識する。具体的には、青色のコレステリック液晶材料層３８の透明電極５０、５２間に高い電圧が印加された場合には、レーザー光線の入射位置が青色に表示され、遊技者は、青色の部位がレーザー光線の入射位置と認識する。また、緑色のコレステリック液晶材料層４０の透明電極６２、６４間に高い電圧が印加された場合には、レーザー光線の入射位置が緑色に表示され、遊技者は、緑色の部位がレーザー光線の入射位置と認識する。赤色のコレステリック液晶材料層４２の透明電極７４、７６間に高い電圧が印加された場合には、レーザー光線の入射位置が赤色に表示され、遊技者は、赤色の部位がレーザー光線の入射位置と認識する。
【００４２】
より詳細には、レーザー光線の入射位置を青色に表示させる場合には、青色のコレステリック液晶材料層３８の透明電極５０、５２間に高い電圧が印加され、緑色及び赤色のコレステリック液晶材料層４０、４２の透明電極６２、６４（７４、７６）間には電圧が印加されない。このため、青色のコレステリック液晶材料層３８の液晶分子Ｘは、図８に示す縦向きの状態で安定するため光を反射し、緑色及び赤色のコレステリック液晶材料層４０、４２の液晶分子Ｘは、図７に示す横向きの状態で安定するため光を透過する。
【００４３】
また、レーザー光線の入射位置を緑色に表示させる場合には、緑色のコレステリック液晶材料層４０の透明電極６２、６４間に高い電圧が印加され、青色及び赤色のコレステリック液晶材料層３８、４２の透明電極５０、５２（７４、７６）間には電圧が印加されない。このため、緑色のコレステリック液晶材料層４０の液晶分子Ｘは、図８に示す縦向きの状態で安定するため光を反射し、青色及び赤色のコレステリック液晶材料層３８、４２の液晶分子Ｘは、図７に示す横向きの状態で安定するため光を透過する。
【００４４】
さらに、レーザー光線の入射位置を赤色に表示させる場合には、赤色のコレステリック液晶材料層４２の透明電極７４、７６間に高い電圧が印加され、青色及び緑色のコレステリック液晶材料層３８、４０の透明電極５０、５２（６２、６４）間には電圧が印加されない。このため、赤色のコレステリック液晶材料層４２の液晶分子Ｘは、図８に示す縦向きの状態で安定するため光を反射し、青色及び緑色のコレステリック液晶材料層３８、４０の液晶分子Ｘは、図７に示す横向きの状態で安定するため光を透過する。
【００４５】
なお、レーザー光線の入射位置を青色、緑色及び赤色以外の色に表示させる場合には、各色のコレステリック液晶材料層３８、４０、４２の透明電極５０、５２、（６２、６４）、（７４、７６）間に対する電圧印加のパターンを適宜変化させることにより対応できる。例えば、青色及び緑色のコレステリック液晶材料層３８、４０の透明電極５０、５２（６２、６４）間に高い電圧を印加し、赤色のコレステリック液晶材料層４２の透明電極７４、７６間に電圧を印加しないことにより、青色と緑色の光を反射させることができ、レーザー光線の入射位置を青色と緑色とが混ざった色で表示できる。一方、青色及び赤色のコレステリック液晶材料層３８、４２の透明電極５０、５２（７４、７６）間に高い電圧を印加し、緑色のコレステリック液晶材料層４０の透明電極６２、６４間に電圧を印加しないことにより、青色と赤色の光を反射させることができ、レーザー光線の入射位置を青色と赤色とが混ざった色で表示できる。また、緑色及び赤色のコレステリック液晶材料層４０、４２の透明電極６２、６４（７４、７６）間に高い電圧を印加し、青色のコレステリック液晶材料層３８の透明電極５０、５２間に電圧を印加しないことにより、緑色と赤色の光を反射させることができ、レーザー光線の入射位置を緑色と赤色とが混ざった色で表示できる。さらに、青色、緑色及び赤色のコレステリック液晶材料層３８、４０、４２の透明電極５０、５２、（６２、６４）、（７４、７６）に高い電圧を印加することにより、青色と緑色と赤色の光を反射させることができ、レーザー光線の入射位置を青色と緑色と赤色とが混ざった色で表示できる。このように、各色のコレステリック液晶材料層３８、４０、４２の透明電極５０、５２、（６２、６４）、（７４、７６）間に対する電圧の印加パターン（印加のオン／オフ）を適宜変えることにより、レーザー光線の入射位置を様々な色で表示することができ、さらに、所定の模様を表示することも可能になる。
【００４６】
また、同時に、いずれかのセンサでレーザー光線が受光されると、ＣＰＵ２４は、所定の効果音を出力するための制御信号を音源回路２８に出力する。このとき、音源回路２８は、ＣＰＵ２４からの制御信号を受けて、ＲＯＭ３０に記憶された効果音のデータに基づいて、各スピーカ２０を介して所定の効果音を出力する。なお、レーザー光線が入射した射撃領域の部位によって、効果音を変化させるようにしてもよい。例えば、射撃領域の中心にレーザー光線が入射した場合には、大きな効果音が出力され、射撃領域の中心から離れた部位にレーザー光線が入射した場合には、小さな効果音が出力されるように設定してもよい。
【００４７】
以上のように、第１実施形態のレーザー光線入射位置表示装置１０によれば、プロジェクタやビデオカメラ（ＣＣＤカメラ）などが不要になり、簡易な構成でかつ低コストで製造することができる。また、狭いスペースでも、レーザー光線入射位置表示装置１０を設置して使用することができる。さらに、表示部材１８として、電子ペーパー３４を利用することにより、電子ペーパー３４の柔軟性を利用して電子ペーパー３４を組み付けることができるとともに、レーザー光線入射位置表示装置１０を小型化かつ軽量化することができる。
【００４８】
なお、表示部材１８として、複数色（３色）のコレステリック液晶材料層３８、４０、４２で構成した例を示したが、この構成に限られるものではなく、単色（例えば、赤色）のコレステリック液晶材料層のみで表示部材を構成してもよく、また、２色（青色と赤色）のコレステリック液晶材料層で表示部材を構成してもよい。
【００４９】
次に、本発明の第２実施形態に係るレーザー光線入射位置表示装置について説明する。なお、第１実施形態に係るレーザー光線入射位置表示装置の構成と重複する構成には同符号を付し、その説明を適宜省略する。
【００５０】
第２実施形態に係るレーザー光線入射位置表示装置は、第１実施形態と比較して、表示部材の構成が異なるものである。
【００５１】
図９に示すように、表示部材１８には、マイクロカプセル型電気泳動方式の電子ペーパー１００が用いられる。電子ペーパー１００は、複数の電子インク層１０２が同一平面上に所謂マトリックス状に並べられて構成されている。すなわち、一の電子インク層１０２がセルとなっている。なお、同一平面上で隣接する電子インク層１０２同士は、接着剤や両面テープなどの接着材料により固定されている。また、電子ペーパー１００（電子インク層１０２）の前後両面側（複数の電子インク層１０２の前後両面側）に、透明のシート部材（例えば、樹脂シート）を配置させ、全ての電子インク層１０２を保持するようにしてもよい。
【００５２】
すなわち、各電子インク層１０２は、表面側（遊技者側）に位置する透明の表面電極（透明電極）１０４と、背面（裏面）側に位置する透明の背面電極（透明電極）１０６と、表面電極１０４と背面電極１０６との間に介在される複数の透明なマイクロカプセル１０８と、で構成されている。電源回路２６は、表面電極１０４と背面電極１０６との間に所定の電圧を印加する。レーザー光線は、表面電極１０４、マイクロカプセル１０８及び背面電極１０６を通過する。
【００５３】
ここで、マイクロカプセル１０８の内部には、正に帯電した白い顔料１１０（粒子）と、負に帯電した黒い顔料１１２（粒子）と、が収容されている。正に帯電した白い顔料１１０は、負に帯びた電極側にひきつけられ、負に帯電した黒い顔料１１２は、正に帯びた電極側にひきつけられる。
【００５４】
すなわち、図９（Ａ）に示すように、背面電極１０６が正に帯電している場合には、背面電極１０６側に黒い顔料１１２が移動し、表面電極１０４側に白い顔料１１０が移動する。このため、遊技者は、白く認識する。また、図９（Ｂ）に示すように、背面電極１０６が負に帯電している場合には、背面電極１０６側に白い顔料１１０が移動し、表面電極１０４側に黒い顔料１１２が移動する。このため、遊技者は、黒く認識する。さらに、図９（Ｃ）に示すように、背面電極１０６が正と負に帯電している場合には、背面電極１０６側に黒い顔料１１２と白い顔料１１０が移動し、表面電極１０４側に白い顔料１１０と黒い顔料１１２が移動する。このため、遊技者は、黒と白の混色として認識する。
【００５５】
上記マイクロカプセル１０８が射撃領域の全領域にわたって設けられている。また、各マイクロカプセル１０８の背面側には、各センサ３２が各マイクロカプセル１０８と対応するように設けられている。このため、前方に位置するマイクロカプセル１０８をレーザー光線が透過すると、その背面側に位置するセンサ３２がレーザー光線を受光する。センサ３２がレーザー光線を受光すると、センサ３２から検知信号が制御装置２２に対して出力される。ＣＰＵ２４は、センサ３２からの検知信号を受けて、レーザー光線が透過したマイクロカプセル１０８を特定し、その特定した電極１０４、１０６間に所定の電圧を印加するための制御信号を電源回路２６に対して出力する。また同時に、ＣＰＵ２４は、音源回路２８に対して所定の効果音を出力するための制御信号を出力する。
【００５６】
ここで、図９（Ａ）に示すように、レーザー光線が透過したマイクロカプセル１０８に対応する表面電極１０４と背面電極１０６との間に対して、背面電極１０６側が正（プラス）、表面電極１０４側が負（マイナス）になるように電圧を印加する。これにより、表面電極１０４と背面電極１０６との間に電界が発生する。この電界は、背面電極１０６側から表面電極１０４側に向かう。そして、背面電極１０６側が正（プラス）になり、表面電極１０４側が負（マイナス）になるため、正に帯電した白い顔料１１０は、表面電極１０４側に移動し、負に帯電した黒い顔料１１２は、背面電極１０６側に移動する。この結果、レーザー光線が入射した射撃領域が白く色表示され、遊技者は、射撃領域上のレーザー光線の入射位置を認識する。
【００５７】
一方、図９（Ｂ）に示すように、レーザー光線が透過したマイクロカプセル１０８に対応する表面電極１０４と背面電極１０６との間に対して、表面電極１０４側が正（プラス）、背面電極１０６側が負（マイナス）になるように電圧を印加してもよい。これにより、表面電極１０４と背面電極１０６との間に電界が発生する。この電界は、表面電極１０４側から背面電極１０６側に向かう。このため、表面電極１０４側が正（プラス）になり、背面電極１０６側が負（マイナス）になるため、正に帯電した白い顔料１１０は、背面電極１０６側に移動し、負に帯電した黒い顔料１１２は、表面電極１０４側に移動する。この結果、レーザー光線が入射した射撃領域が黒く色表示され、遊技者は、射撃領域上のレーザー光線の入射位置を認識する。
【００５８】
さらに、図９（Ｃ）に示すように、レーザー光線が透過したマイクロカプセル１０８に対応する表面電極１０４と背面電極１０６との間に対して、表面電極１０４側の一部と背面電極１０６側の一部が正（プラス）になるように電圧を印加してもよい。これにより、表面電極１０４と背面電極１０６との間に電界が発生する。この場合には、背面電極１０６側から表面電極１０４側に向かう電界と、表面電極１０４側から背面電極１０６側に向かう電界と、の２通りが存在する。このため、背面電極１０６側の一部が正（プラス）、一部が負（マイナス）になり、表面電極１０４側の一部が正（プラス）、一部が負（マイナス）になる。これにより、表面電極１０４側が正（プラス）と負（マイナス）になるため、正に帯電した白い顔料１１０の一部と負に帯電した黒い顔料１１２の一部は、表面電極１０４側に移動する。また同時に、背面電極１０６側も正（プラス）と負（マイナス）になるため、正に帯電した白い顔料１１０の一部と負に帯電した黒い顔料１１２の一部は、表面電極１０４側に移動する。この結果、この結果、レーザー光線が入射した射撃領域が黒と白の混色で表示され、遊技者は、射撃領域上のレーザー光線の入射位置を認識する。
【００５９】
第２実施形態によれば、表示部材１８として、マイクロカプセル型電気泳動方式（電子インク層１０２）の電子ペーパー１００を用いた場合でも、レーザー光線の入射位置を容易に表示することができる。
【００６０】
次に、本発明の第３実施形態に係るレーザー光線入射位置表示装置について説明する。なお、第１実施形態に係るレーザー光線入射位置表示装置の構成と重複する構成には同符号を付し、その説明を適宜省略する。
【００６１】
第３実施形態に係るレーザー光線入射位置表示装置は、第１実施形態と比較して、表示部材の構成が異なるものである。
【００６２】
図１０に示すように、表示部材１８には、有機ＥＬディスプレイ２００が用いられている。この有機ＥＬディスプレイ２００は、同一平面上に並べられた複数の有機ＥＬ層２０２で構成されている。すなわち、一の有機ＥＬ層２０２がセルとなっている。なお、同一平面上で隣接する有機ＥＬ層２０２同士は、接着剤や両面テープなどの接着材料により固定されている。また、有機ＥＬディスプレイ２００（有機ＥＬ層２０２）の前後両面側（複数の有機ＥＬ層２０２の前後両面側）に、透明のシート部材（例えば、樹脂シート）を配置させ、全ての有機ＥＬ層２０２を保持するようにしてもよい。
【００６３】
各有機ＥＬ層２０２は、遊技者側に位置するガラス基板２０４と、透明の表面電極（透明電極）２０６と、透明の背面電極（透明電極）２０８と、表面電極２０６と背面電極２０８との間に位置して表面電極２０６に隣接する正電荷輸送層２１０と、表面電極２０６と背面電極２０８との間に位置して背面電極２０８に隣接する負電荷輸送層２１２と、正電荷輸送層２１０と負電荷輸送層２１２との間に介在する発光層２１４と、で構成されている。なお、電源回路２６により、表面電極２０６と背面電極２０８との間に所定の電圧が印加されるようになっている。なお、各有機ＥＬ層２０２の背面側には、レーザー光線を検知する各センサ３２が各有機ＥＬ層２０２と対応するように配置されている。
【００６４】
第３実施形態によれば、レーザー光線を受光したセンサ３２の前面側に位置する有機ＥＬ層２０２の表面電極２０６と背面電極２０８との間に、所定の電圧が印加される。表面電極２０６と背面電極２０８との間に所定の電圧が印加されると、正電荷輸送層２１０の正の電荷（正孔）と、負電荷輸送層２１２の負の電荷（電子）と、が発光層２１４に流れ込む。そして、正の電荷と負の電荷とが発光層２１４で再結合することにより、有機分子の励起状態を発生させ、それが安定な状態に戻るときに発光する。これにより、レーザー光線が入射した有機ＥＬ層２０２が発光して、遊技者はレーザー光線の入射位置を認識する。なお、レーザー光線が入射していない有機ＥＬ層２０２は、発光しないため、遊技者に認識されることはない。この結果、レーザー光線が入射した有機ＥＬ層２０２のみが発光するため、複数の有機ＥＬ層２０２が存在していても、レーザー光線が入射した有機ＥＬ（入射位置）が明確になる。
【００６５】
以上のように、レーザー光線の入射位置を表示する表示部材１８に、有機ＥＬディスプレイ２００を利用することにより、有機ＥＬディスプレイ２００の柔軟性を利用して有機ＥＬディスプレイ２００を組み付けることができるとともに、レーザー光線入射位置表示装置１０を小型化かつ軽量化することができる。
【００６６】
次に、本発明の第４実施形態に係るレーザー光線入射位置表示装置について説明する。
【００６７】
図１１に示すように、第４実施形態に係るレーザー光線入射位置表示装置３００の表示部材として、光センサ３０２Ｄを内蔵する液晶ディスプレイ３０２が用いられている。すなわち、レーザー光線入射位置表示装置３００は、主として、光センサ３０２Ｄを内蔵する液晶ディスプレイ３０２と、レーザー光線の入射位置を液晶ディスプレイ３０２上に表示させるための制御装置３０４と、を有している。なお、液晶ディスプレイ３０２及び制御装置３０４は、枠部材１４（図１参照）に取り付けられている。
【００６８】
図１２に示すように、液晶ディスプレイ３０２は、表面側から裏面側に向って順に、偏光フィルタ（偏光板）３０２Ａと、ガラス板３０２Ｂと、光センサ３０２Ｄを実装したセンサ回路３０２Ｃと、透明電極３０２Ｅと、液晶層３０２Ｆと、透明電極３０２Ｇと、ガラス板３０２Ｈと、偏光フィルタ（偏光板）３０２Ｉと、バックライト３０２Ｊと、で構成されている。なお、液晶ディスプレイ３０２が反射型液晶表示装置の場合には、バックライト３０２Ｊは不要となる。
【００６９】
光センサ３０２Ｄは、各画素毎に、１個ずつマトリックス状に配置されている。なお、光センサ３０２Ｄは、上述した具体例のものを使用でき、例えば、フォトダイオードなどで構成されている。光センサ３０２Ｄは、レーザー光線を受光するものであるが、模擬銃１２（図１参照）からのレーザー光線のような光量の大きな光を検知し、自然光などの光量の小さな光は検知しないように設定されている。光センサ３０２Ｄがレーザー光線を受光した場合には、制御装置３０４（ＣＰＵ３０４Ａ）に対してレーザー光線を受光した旨を示す検知信号を出力する。このような設定は、光センサ３０２Ｄの感知度を調整して実現することができ、また、ＣＰＵ３０４Ａにおいて所定の光量以下の検知信号を無視するように設定することにより、レーザー光線の受光の有無を判別することができる。なお、センサ回路３０２Ｃは、レーザー光線などの光を透過する透明の回路であることが好ましい。また、レーザー光線の受光のみを目的とするものであれば、検知信号を出力するための機能を設けた光センサ３０２Ｄのみを配置して、センサ回路３０２Ｃを省略することも可能である。
【００７０】
透明電極３０２Ｅ、３０２Ｇは、レーザー光線や自然光が透過する電極であり、液晶に電圧を印加するものである。また、一対の透明電極３０２Ｅ、３０２Ｇは、各画素毎に分割して設けられており、各画素に対応する透明電極３０２Ｅ、３０２Ｇ毎に電圧を印加できるように構成されている。
【００７１】
偏光フィルタ３０２Ａと偏光フィルタ３０２Ｉの偏光方向は、相互に直交するように設定されている。このため、電圧が印加されている液晶の部分は、光が透過しないようになる。
【００７２】
制御装置３０４は、ＣＰＵ３０４Ａと、ＲＯＭ３０４Ｂと、電源回路３０４Ｃと、音源回路３０４Ｄと、を有している。
【００７３】
ＣＰＵ３０４Ａは、各画素毎に配置された複数の光センサ３０２Ｄからの検知信号に基づいて、液晶ディスプレイ３０２上のレーザー光線の入射位置を特定する。例えば、液晶ディスプレイ３０２の射撃領域の左側に配置された光センサ３０２Ｄによりレーザー光線が受光された場合には、レーザー光線を受光した光センサ３０２Ｄから検知信号が制御装置３０４に対して出力される。そして、ＣＰＵ３０４Ａは、この検知信号を出力した光センサ３０２Ｄを認識して、ＲＯＭ３０４Ｂに記憶したテーブルを参照し、液晶ディスプレイ３０２上のレーザー光線の入射位置（例えば、左側の液晶層３０２Ｆ）を特定する。あるいは、ＣＰＵ３０４Ａは、検知信号の内容又は種類により、光センサ３０２Ｄを特定し、これにより、液晶ディスプレイ３０２上のレーザー光線の入射位置を特定してもよい。また、ＣＰＵ３０４Ａは、電源回路３０４Ｃ及び音源回路３０４Ｄの駆動を制御する。
【００７４】
ＲＯＭ３０４Ｂには、光センサ３０２Ｄの検知信号と液晶ディスプレイ３０２の入射部位（液晶層３０２Ｆ）との対応関係（テーブル）、及び効果音のデータが記憶されている。なお、光センサ３０２Ｄ毎に異なる種類の検知信号を出力する構成では、ＲＯＭ３０４Ｂには、光センサ３０２Ｄ毎に異なる種類の検知信号と液晶ディスプレイ３０２の入射部位（液晶層３０２Ｆ）との対応関係（テーブル）を記憶させておいてもよい。
【００７５】
電源回路３０４Ｃは、ＣＰＵ３０４Ａからの駆動信号に基づいて、ＣＰＵ３０４Ａにより特定された液晶ディスプレイ３０２上のレーザー光線の入射位置に対応する透明電極３０２Ｅ、３０２Ｇに対して所定の電圧を印加するものである。具体的には、レーザー光線の入射位置となる液晶層３０２Ｆの透明電極３０２Ｅ、３０２Ｇ間に対して所定の電圧を印加する。液晶層３０２Ｆに電圧が印加されると、その液晶層３０２Ｆの液晶分子の向き（配向）が変化する。この結果、レーザー光線が入射した液晶ディスプレイ３０２の入射部位に模様やパターンが表示される。
【００７６】
音源回路３０４Ｄは、ＣＰＵ３０４Ａからの駆動信号に基づいて、スピーカ２０（図１参照）の出力を制御する。これにより、スピーカ２０は、ＲＯＭ３０４Ｂに記憶された効果音の音データに基づいて所定の効果音を出力する。このため、遊技者は、レーザー光線が液晶ディスプレイ３０２の射撃領域に到達した瞬間に、効果音を聞くことになる。
【００７７】
ここで、液晶ディスプレイ３０２での表示原理について概説する。
表示光源であるバックライト３０２Ｊは、様々な方向に振幅成分を有する光を発する。この光源からの光のうち、特定の方向の振幅成分を持つ光（偏光）のみが裏面側の偏光フィルタ３０２Ｉを通過することができる。この光は、通常は直線偏光となっており、液晶層３０２Ｆに入射される。直線偏光の入射光は、液晶層３０２Ｆを厚み方向に伝播しながら、液晶のもつ屈折率異方性（複屈折）に応じて偏光状態を変化させて行く。液晶を出射した光は、偏光のうち、表面側の偏光フィルタ３０２Ａが透過させる偏光だけが表示光として出射される。この表面側の偏光フィルタ３０２Ａが透過させる特定方向の振幅成分が多い場合には、表示は明るく、少ない場合には、表示は暗くなる。表示を変化させるためには、液晶配向を電圧で変化させて液晶配向を変化させる。すると、液晶配向の変化に合わせて、液晶層を伝播する光の光電場の各振動方向における屈折率が変化し、液晶を出射する時点での偏光状態が変化し、明るさ、すなわち、液晶層３０２Ｆを挟んでいる偏光フィルタ３０２Ａ、３０２Ｉを含めた全体の透過率が変化する。このように、偏光フィルタ３０２Ａ、３０２Ｉと組み合わされた液晶層３０２Ｆは、単なる光シャッタとして動作している。つまり、光を遮ったり、透過させたり、それらの中間調となるように一部透過させたり、というアナログ的な光の透過率制御を電圧値により行うように動作する。なお、液晶層３０２Ｆ自体は、偏光を変化させるが、エネルギー的に発光はせず、吸収は実質的にない。また、偏光フィルタ３０２Ａ、３０２Ｉを通過した光の表示が遊技者の目に到達し、液晶ディスプレイ３０２から人間の目に届く光は直線偏光している。
【００７８】
ここで、液晶ディスプレイ３０２上にレーザー光線の入射位置にカラー表示する場合には、図１３に示すように、カラーフィルタ３０２Ｋを設けることが好ましい。カラーフィルタ３０２Ｋは、表面側のガラス板３０２Ｂと表面側の透明電極３０２Ｅとの間、すなわち、表面側のガラス板３０２Ｂとセンサ回路３０２Ｃとの間、あるいは、センサ回路３０２Ｃと透明電極３０２Ｅとの間に配置されている。カラーフィルタ３０２Ｋは、画素に対応させて、赤色（Ｒ）・緑色（Ｇ）・青色（Ｂ）の光を透過させる着色層を配置したフィルタである。このカラーフィルタ３０２Ｋにより、各画素の通過光をＲ、Ｇ、Ｂに着色することができるため、カラー表示が実現できる。各画素の電圧を制御することで、表示画素の領域上の任意の一点で任意の発色が可能になる（非発色＝黒も可能）。
【００７９】
第４実施形態に係るレーザー光線入射位置表示装置３００によれば、遊技者が模擬銃１２からレーザー光線を発射させると、液晶ディスプレイ３０２の所定の位置に入射する。レーザー光線は、液晶ディスプレイ３０２の内部の光センサ３０２Ｄで受光され、受光した光センサ３０２Ｄから検知信号が制御装置３０４のＣＰＵ３０４Ａに対して出力される。ＣＰＵ３０４Ａは、検知信号を受光すると、どの光センサ３０２Ｄでレーザー光線が受光されたのかを判別し、液晶ディスプレイ３０２上のレーザー光線の入射位置を特定する。
【００８０】
そして、ＣＰＵ３０４Ａは、電源回路３０４Ｃに対して、電圧印加の駆動信号を出力する。電源回路３０４Ｃは、液晶ディスプレイ３０２上のレーザー光線の入射位置となる画素に対応した透明電極３０２Ｅ、３０２Ｇに対して所定の電圧を印加する。これにより、液晶ディスプレイ３０２上のレーザー光線の入射位置に所定のマーク（模様、パターン、色表示）が表現される。このため、遊技者は、液晶ディスプレイ３０２上のレーザー光線の入射位置を認識することができる。
【００８１】
また同時に、ＣＰＵ３０４Ａは、音源回路３０４Ｄに対して、効果音を出力するための駆動信号を出力する。これにより、スピーカ２０は、ＲＯＭ３０４Ｂに記憶された効果音の音データに基づいて所定の効果音を出力する。このため、遊技者は、レーザー光線が液晶ディスプレイ３０２の射撃領域に到達した瞬間に、効果音を聞くことになる。
【００８２】
以上のように、第４実施形態のレーザー光線入射位置表示装置３００によれば、プロジェクタやビデオカメラ（ＣＣＤカメラ）などが不要になり、簡易な構成でかつ低コストで製造することができる。また、狭いスペースでも、レーザー光線入射位置表示装置３００を設置して使用することができる。さらに、表示部材１８として、液晶ディスプレイ３０２を利用することにより、簡易な構成でレーザー光線入射位置表示装置３００を実現することができるため、レーザー光線入射位置表示装置３００を小型化かつ軽量化することができる。
【図面の簡単な説明】
【００８３】
【図１】本発明の第１実施形態に係るレーザー光線入射位置表示装置の説明図である。
【図２】本発明の第１実施形態に係るレーザー光線入射位置表示装置の正面図である。
【図３】本発明の第１実施形態に係るレーザー光線入射位置表示装置の制御システムを示すブロック図である。
【図４】本発明の第１実施形態に係るレーザー光線入射位置表示装置の表示部材（単一の液晶層）の内部構成を示した説明図である。
【図５】本発明の第１実施形態に係るレーザー光線入射位置表示装置の表示部材（単一の液晶層）で光が反射する状態を示した説明図である。
【図６】本発明の第１実施形態に係るレーザー光線入射位置表示装置の表示部材を構成する液晶材料に含まれる液晶分子の初期状態を示す概念図である。
【図７】本発明の第１実施形態に係るレーザー光線入射位置表示装置の表示部材を構成する液晶材料に含まれる液晶分子が横向きで安定した状態を示す概念図である。
【図８】本発明の第１実施形態に係るレーザー光線入射位置表示装置の表示部材を構成する液晶材料に含まれる液晶分子が縦向きで安定した状態を示す概念図である。
【図９】本発明の第２実施形態に係るレーザー光線入射位置表示装置の表示部材（単一の電子インク層）の構成を示した説明図である。
【図１０】本発明の第３実施形態に係るレーザー光線入射位置表示装置の表示部材（単一の有機ＥＬ層）の構成を示した説明図である。
【図１１】本発明の第４実施形態に係るレーザー光線入射位置表示装置の構成を示した図である。
【図１２】本発明の第４実施形態に係るレーザー光線入射位置表示装置の液晶表示手段が分解した状態の構成図である。
【図１３】本発明の第４実施形態に係るレーザー光線入射位置表示装置の液晶表示手段の変形例が分解した状態の構成図である。
【符号の説明】
【００８４】
３００      レーザー光線入射位置表示装置
１２        模擬銃
３０２      液晶ディスプレイ（液晶表示手段）
３０２Ｄ    光センサ
３０４Ａ    ＣＰＵ（位置特定手段）
３０４Ｃ    電源回路（表示制御手段）
【図１】
2010156516.tif 000003
【図２】
2010156516.tif 000004
【図３】
2010156516.tif 000005
【図４】
2010156516.tif 000006
【図５】
2010156516.tif 000007
【図６】
2010156516.tif 000008
【図７】
2010156516.tif 000009
【図８】
2010156516.tif 000010
【図９】
2010156516.tif 000011
【図１０】
2010156516.tif 000012
【図１１】
2010156516.tif 000013
【図１２】
2010156516.tif 000014
【図１３】
2010156516.tif 000015